(57)【要約】【課題】マルチキャリア方式と符号多重化方式（ＣＤＭＡ）を組合せ、ＣＮＲ（搬送波対雑音電力比）に応じて符号多重数Ｎを変更する。【解決手段】受信側で送受信間の通信路状態（ＣＮＲ）を観測し（４１）、その結果に基づきコード多重数Ｎを決定し（４２）、Ｎを送信機１１、受信機２１の各拡散符号伝達器１８，２８へ送り、伝達器１８，２８は予め決めたＮと対応する拡散符号群を発生し、また入力データをＮ分割し（３４）、これらＮ個のデータをその拡散符号群の各符号で拡散し、かつ拡散されたデータをサブキャリア対応にＮ重に多重化して、サブキャリアを変調して送信する。受信側で受信信号をサブキャリアごとに復調し、各復調出力を伝達器２８よりの拡散符号で逆拡散する。ＣＮＲが悪い時はＮを小として通信品質を保持し、ＣＮＲが良い時はＮを大として収容ユーザ数を大とする。【選択図】　　　図３
2004080340.tif 000002
【特許請求の範囲】
【請求項１】
マルチキャリア伝送を行う送受信方法において、
送信機と受信機でコード多重数に対応した拡散符号群の情報をあらかじめ共有しておき、
送受信間の通信路状態を観測し、その観測結果からコード多重数を決定し、
この決定したコード多重数の情報を送信機と受信機で共有し、送信機において上記決定したコード多重数に対応した拡散符号群を用いて符号分割多重化（ＣｏｄｅＤｉｖｉｓｉｏｎ　Ｍｕｌｔｉｐｌｅｘｉｎｇ：ＣＤＭ）を行ってデータを送信し、受信機において上記決定したコード多重数に対応した拡散符号群を用いて受信信号を符号分割逆多重化を行うことを特徴とするマルチキャリア送受信方法。
【請求項２】
請求項１記載の方法において、上記符号分割多重化は周波数領域で符号分割多重化を行い、
上記符号分割多重化した信号を、上記コード多重数に対応した割り当てパタンにしたがってサブキャリアに割り当てて送信し、
受信機においてサブキャリアに割り当てられた信号を、上記割り当てパタンにしたがって元に戻し、
これら元に戻された信号をコード多重数に対応した拡散符号群を用いて逆多重化を行うことを特徴とするマルチキャリア送受信方法。
【請求項３】
請求項１記載の方法において、上記符号分割多重化は周波数領域で符号分割多重化を行い、
通信路状態の観測結果からサブキャリアに多重化信号を割り当てるパタンを決定し、その割り当てパタン情報を送信機と受信機で共有し、
上記符号分割多重化した信号を上記割り当てパタンにしたがってサブキャリアに割り当てて送信し、
受信機においてサブキャリアに割り当てられた信号を、上記割り当てパタンにしたがって元に戻し、
これら元に戻した信号をコード多重数に対応した拡散符号群を用いて逆多重化を行うことを特徴とするマルチキャリア送受信方法。
【請求項４】
相手受信機よりコード多重数Ｎ（Ｎは１以上の整数）の情報を受信する受信部と、
上記コード多重数Ｎに対応したＮ個の拡散符号よりなる拡散符号群を時間領域拡散器に伝達する拡散符号伝達器と、
入力されたデータストリームを上記コード多重数Ｎ分のストリームに分割する分割回路と、
上記分割回路よりの各データストリームを直並列変換してそれぞれ複数の並列データストリームを出力するＮ個の直並列変換器と、
入力されたデータストリームを信号点に変換するマッピング回路と、
上記Ｎ個の直並列変換器よりの複数の並列データストリームの対応するＮ個ずつのデータストリームに、上記拡散符号伝達器から伝達された拡散符号群中の異なった拡散符号をシンボルごとに乗算して時間領域で拡散するＮ個の上記時間領域拡散器と、
これらＮ個の時間領域拡散器の出力データストリームを時間領域拡散器ごとに足し合わせて時間領域で多重化を行う複数の時間領域多重化器と、
各時間領域多重化器よりの多重化データストリームで別個のサブキャリアを変調する複数の変調器と、
これら変調された複数のサブキャリアの信号を足し合わせる加算回路と、
該加算回路の出力を空中に放射する送信アンテナと、
を備えたマルチキャリア送信機。
【請求項５】
相手受信機よりコード多重数Ｎ（Ｎは１以上の整数）の情報を受信する受信部と、
コード多重数Ｎに対応したＮ個の拡散符号よりなる拡散符号群を時間領域拡散器に伝達する拡散符号伝達器と、
入力されたデータストリームを直並列変換して複数の並列データストリームを出力する直並列変換器と、
直並列変換器よりの各並列データストリームについてシンボルごとに、上記拡散符号群中のＮ個の拡散符号を順番乗算して拡散して各一つずつデータストリームを出力して、時間領域で拡散する複数の時間領域拡散器と、
それぞれデータを保持するバッファを有し、上記複数の時間領域拡散器の対応するものからの拡散後のデータストリームをバッファに格納して足し合わせて、Ｎ個足し合わせるごとに出力して多重化を行う複数の時間領域多重化器と、
上記複数時間領域多重化器よりの多重化データストリームでそれぞれ異なるサブキャリアを変調する複数の変調器と、
これら複数の変調器よりの変調されたサブキャリアの信号を足し合わせる加算回路と、
該加算回路の出力を空中に放射する送信アンテナと
を備えるマルチキャリア送信機。
【請求項６】
相手受信機からコード多重数Ｎ（Ｎは１以上の整数）の情報を受信する受信部と、
コード多重数Ｎに対応したＮ個の拡散符号よりなる拡散符号群を周波数領域拡散器に伝達する拡散符号伝達器と、
入力されたデータストリームを上記コード多重数Ｎ分のストリームに分割する分割回路と、
上記分割されたＮ個のデータストリームに対して、上記拡散符号群中の拡散符号を各１つずつ対応づけて、その拡散符号の各ビット（チップ）を、対応づけられたデータストリームをブランチした信号に乗算して、周波数領域で拡散する周波数領域拡散器と、
拡散後のデータストリームをＮ個の拡散符号の各対応ビットごとに足し合わせて周波数領域で多重化を行う周波数領域多重化器と、
周波数領域多重化器よりの各多重化出力信号によりそれぞれ異なるサブキャリアを変調する複数の変調器と、
これら複数の変調器よりの変調された各サブキャリアの信号を足し合わせる加算回路と、
該加算回路の出力を空中に放射する送信アンテナと
を備えるマルチキャリア送信機。
【請求項７】
相手受信機よりコード多重数Ｎ（Ｎは１以上の整数）の情報を受信する受信部と、
コード多重数Ｎに対応したＮ個の拡散符号よりなる拡散符号群を周波数領域拡散器に伝達する拡散符号伝達器と、
上記拡散符号群中の拡散符号を順番に、その拡散符号ごとにその構成各ビット（チップ）を、入力されたデータストリームをブランチした信号にそれぞれ乗算することをシンボルごとに行い、拡散符号の各ビットに対応する乗算結果のデータストリームを複数出力する周波数領域拡散器と、
それぞれデータを保持するバッファを有し、周波数領域拡散器の複数のデータストリームを対応するバッファに順次格納して足し合わせ、Ｎ個足し合わせるごとに多重化信号をそれぞれ出力する周波数領域多重化器と、
上記周波数領域多重化器の複数の多重化信号によりそれぞれ異なるサブキャリアを変調する複数の変調器と、
上記複数の変調されたサブキャリアの信号を足し合わせる加算回路と、
該加算回路の出力を空中に放射する送信アンテナと
を備えるマルチキャリア送信機。
【請求項８】
相手受信機からコード多重数Ｎ（Ｎは１以上の整数）の情報を受信する受信部と、
コード多重数Ｎに対応したＮ個の拡散符号よりなる拡散符号群を周波数領域拡散器に伝達する拡散符号伝達器と、
入力されたデータストリームをコード多重数Ｎ分のストリームに分割する分割回路と、
上記分割されたＮ個のデータストリームに対して、上記Ｎ個の拡散符号の対応するものをそれぞれ乗算器で乗算し、これらＮ個の乗算器の各出力を直並列変換器で直並列変換してそれぞれ拡散符号の構成ビット数分のビットストリームを生成して周波数領域で拡散を行う周波数領域拡散器と、
上記周波数領域拡散器中のＮ個の直並列変換器より複数のビットストリームを対応するものそれぞれ足し合わせて周波数領域で多重化を行う周波数領域多重化器と、
周波数領域多重化器よりの各多重化出力信号によりそれぞれ異なるサブキャリアを変調する複数の変調器と、
これら複数の変調器よりの変調された各サブキャリアの信号を足し合わせる加算回路と、
該加算回路の出力を空中に放射する送信アンテナと
を備えるマルチキャリア送信機。
【請求項９】
相手受信機よりコード多重数Ｎ（Ｎは１以上の整数）の情報を受信する受信部と、
上記コード多重数Ｎに対応したＮ個の拡散符号よりなる拡散符号群を周波数領域拡散器に伝達する拡散符号伝達器と、
入力されたデータストリームにそのシンボルごと上記Ｎ個の拡散符号を乗算器で順番に乗算し、この乗算出力を直並列変換器で拡散符号の構成ビット数分の並列ビットデータストリームに変換出力して周波数領域で拡散を行う周波数領域拡散器と、
それぞれデータを保持するバッファを有し、上記周波数領域拡散器よりの複数のビットデータストリームの対応するものをそれぞれ格納して足し合わせて周波数領域で多重化を行う周波数領域多重化器と、
周波数領域多重化器よりの複数の多重化データストリームで互いに異なるサブキャリアを変調する複数の変調器と、
これら複数の変調されたサブキャリアの信号を足し合わせる加算回路と、
該加算回路の出力を空中に放射する送信アンテナと
を具備するマルチキャリア送信機。
【請求項１０】
請求項６〜９の何れかに記載の送信機において、
上記周波数領域多重化器と上記複数の変調器との間の挿入された空間スイッチと、
上記コード多重数Ｎに応じた連結パタンを生成して上記空間スイッチに供給し、その連結パタンに応じて周波数領域多重化器の複数の出力端と変調器との組合せ接続状態を変更する連結パタン伝達器と
を備えることを特徴とするマルチキャリア送信機。
【請求項１１】
請求項１０記載の送信機において、上記連結パタン伝達器はコード多重数に対応した連結パタンが記憶された記憶素子を有し、上記受信部からのコード多重数により対応した連結パタンが読み出されることを特徴とするマルチキャリア送信機。
【請求項１２】
請求項６〜９の何れかに記載の送信機において、
上記複数の周波数領域多重化器と上記複数の変調器との間に空間スイッチが挿入され、
上記受信部は連結パタンも受信し、その受信した連結パタンを上記空間スイッチに伝達するものであり、
上記空間スイッチに伝達された連結パタンに応じて、上記周波数領域多重化器と上記変調器との組合せ接続状態を変更するものであることを特徴とするマルチキャリア送信機。
【請求項１３】
相手送信機からの送信信号を受信して、その送信機と自受信機との間の通信路状態を観測する通信路状態観測器と、
上記観測した通信路状態をもとにコード多重数Ｎ（Ｎは１以上の整数）を決定し、その決定したコード多重数Ｎの情報を上記送信機へ送信するコード多重数決定器と、
上記コード多重数Ｎに対応したＮ個の拡散符号よりなる拡散符号群を時間領域逆拡散器に伝達する拡散符号伝達器と、
上記送信機からの送信信号を受信する受信アンテナと、
上記受信アンテナにより受信された信号を互いに異なるサブキャリアで復調する複数の復調器と、
上記複数の復調器と対応してそれぞれ設けられ、その復調出力データストリームに対し、上記拡散符号群の各拡散符号をシンボルごとに乗算して逆拡散したＮ個のデータストリームをそれぞれ出力する複数の上記時間領域逆拡散器と、
複数の時間領域逆拡散器よりの各Ｎ個の逆拡散データストリーム中の対応するデータストリームごとに並直列変換してそれぞれ１つのデータストリームとするＮ個の並直列変換器と、
これらＮ個の並直列変換器よりのデータストリームを再構築して元の一つのデータストリームに戻す合流回路と
を具備するマルチキャリア受信機。
【請求項１４】
相手送信機からの送信信号を受信して、その送信機と自受信機との間の通信路状態を観測する通信路状態観測器と、
上記通信路状態の観測結果をもとにコード多重数Ｎ（Ｎは１以上の整数）を決定し、その決定されたコード多重数Ｎの情報を上記送信機へ送信するコード多重数決定器と、
上記コード多重数Ｎに対応したＮ個の拡散符号よりなる拡散符号群を時間領域逆拡散器に伝達する拡散符号伝達器と、
上記送信機より送信された信号を受信する受信アンテナと、
上記受信アンテナにより受信された信号を互いに異なるサブキャリアで復調する複数の復調器と、
上記Ｎ個の復調器ごとに設けられ、その復調器よりの復調データストリームに、その各シンボルについて上記Ｎ個の拡散符号を順番に乗算して逆拡散したデータストリームをそれぞれ出力する複数の上記時間領域逆拡散器と、
上記複数の時間領域逆拡散器よりのデータストリームを並直列変換して１つのデータストリームを出力する並直列変換器と
を具備するマルチキャリア受信機。
【請求項１５】
相手送信機からの送信信号を受信して、その送信機と自受信機との間の通信路状態を観測する通信路状態観測器と、
上記通信路状態の観測結果をもとにコード多重数Ｎ（Ｎは１以上の整数）を決定し、その決定されたコード多重数Ｎの情報を上記送信機へ送信するコード多重数決定器と、
上記コード多重数Ｎに対応したＮ個の拡散符号よりなる拡散符号群を周波数領域逆拡散器に伝達する拡散符号伝達器と、
上記送信機より送信された信号を受信する受信アンテナと、
上記受信アンテナにより受信された信号を互いに異なる複数のサブキャリアで復調する複数の復調器と、
上記複数の復調されたデータストリームをＮ個にブランチに割り当て、これら各Ｎ個のブランチに割り当てられた信号に上記Ｎ個の拡散符号を１ビットずつ乗算し、その乗算結果を拡散符号ごとに合成してＮ個の逆拡散データストリームを得る上記周波数領域逆拡散器と、
これらＮ個の逆拡散データストリームを再構築して元の一つのデータストリームに戻す合流回路と
を具備するマルチキャリア受信機。
【請求項１６】
相手送信機からの送信信号を受信して、その送信機と自受信機との間の通信路状態を観測する通信路状態観測器と、
上記通信路状態の観測結果をもとにコード多重数Ｎ（Ｎは１以上の整数）を決定し、その決定されたコード多重数Ｎの情報を上記送信機へ送信するコード多重数決定器と、
上記コード多重数Ｎに対応したＮ個の拡散符号よりなる拡散符号群を周波数領域逆拡散器に伝達する拡散符号伝達器と、
上記送信機より送信された信号を受信する受信アンテナと、
上記受信アンテナにより受信された信号を互いに異なるサブキャリアで復調する複数の復調器と、
上記複数の復調されたデータストリームに対して、順番にＮ個の拡散符号の各拡散符号の構成ビット（チップ）を複数の復調データストリームに対応づけて１ビットずつ乗算し、これら乗算結果を合成して逆拡散した１つのデータストリームを出力する上記周波数領域逆拡散器と
を具備するマルチキャリア受信機。
【請求項１７】
相手送信機からの送信信号を受信して、その送信機と自受信機との間の通信路状態を観測する通信路状態観測器と、
上記通信路状態の観測結果をもとにコード多重数Ｎ（Ｎは１以上の整数）を決定し、その決定されたコード多重数Ｎの情報を上記送信機へ送信するコード多重数決定器と、
上記コード多重数Ｎに対応した拡散符号群を周波数領域逆拡散器に伝達する拡散符号伝達器と、
上記送信機より送信された信号を受信する受信アンテナと、
上記受信アンテナにより受信された信号をそれぞれ互いに異なるサブキャリアで復調する複数の復調器と、
上記複数の復調器からの復調信号を並直列変換器により直列のデータストリームに変換し、このデータストリームに、上記Ｎ個の拡散符号をＮ個の乗算器で乗算してＮ個の逆拡散データストリームを得る周波数領域で逆拡散を行う周波数領域逆拡散器と、
上記Ｎ個の逆拡散データストリームを再構築して元の一つのデータストリームに戻す合流回路と
を具備するマルチキャリア受信機。
【請求項１８】
相手送信機からの送信信号を受信して、その送信機と自受信機との間の通信路状態を観測する通信路状態観測器と、
上記通信路状態の観測結果をもとにコード多重数Ｎ（Ｎは１以上の整数）を決定し、その決定されたコード多重数Ｎの情報を上記送信機へ送信するコード多重数決定器と、
上記コード多重数Ｎに対応したＮ個の拡散符号よりなる拡散符号群を周波数領域逆拡散器に伝達する拡散符号伝達器と、
上記送信機より送信された信号を受信する受信アンテナと、
上記受信アンテナにより受信された信号を互いに異なるサブキャリアでそれぞれ復調する複数の復調器と、
上記複数の復調器よりの復調された信号を並直列変換器で１つのデータストリームに変換し、そのデータストリームに上記Ｎ個の拡散符号を乗算器で順番に乗算して逆拡散した一つのデータストリームを出力して周波数領域で逆拡散を行う周波数領域逆拡散器と
を具備するマルチキャリア受信機。
【請求項１９】
請求項１５〜１８の何れかに記載の受信機において、上記複数の復調器と上記周波数領域逆拡散器との間に挿入された空間スイッチと、
上記コード多重数Ｎに応じた連結パタンを生成して上記空間スイッチに供給し、その連結パタンに応じて復調器と周波数領域逆拡散器との組合せ接続状態を変更する連結パタン伝達器とを備えることを特徴とするマルチキャリア受信機。
【請求項２０】
請求項１９記載の受信機において、上記連結パタン伝達器はコード多重数に対応した連結パタンが記憶された記憶素子を有し、上記コード多重数決定器からのコード多重数により対応した連結パタンが読み出されることを特徴とするマルチキャリア受信機。
【請求項２１】
請求項１５〜１８の何れかに記載の受信機において、
上記複数の復調器と上記周波数領域逆拡散器との間に空間スイッチが挿入され、
上記通信路状態観測器よりの通信路状態の観測結果に基づき、連結パタン決定器で連結パタンが決定され、その連結パタンが上記空間スイッチへ伝達され、
上記空間スイッチは伝達された連結パタンに応じて上記復調器と上記周波数領域逆拡散器との組合せ接続状態を変更するものであることを特徴とするマルチキャリア受信機。
【請求項２２】
請求項２１記載の受信機において、上記通信路状態観測器は各サブキャリアの受信信号の振幅値も測定して上記連結パタン決定器に伝達するものであり、
上記連結パタン決定器は上記コード多重数および上記受信信号の振幅値から上記連結パタンを決定するものであることを特徴とするマルチキャリア受信機。
【請求項２３】
請求項１５〜２２の何れかに記載の受信機において、上記通信路状態観測器は搬送波対雑音電力比（ＣＮＲ）および遅延分散を測定するものであり、上記コード多重数決定器は上記ＣＮＲおよび遅延分散に応じて上記コード多重数を決定するものであることを特徴とするマルチキャリア受信機。
【請求項２４】
請求項１から３の何れかに記したマルチキャリア送受信方法において、マルチキャリア変調に直交周波数分割多重（ＯＦＤＭ：ＯｒｔｈｏｇｏｎａｌＦｒｅｑｕｅｎｃｙ　Ｄｉｖｉｓｉｏｎ　Ｍｕｌｔｉｐｌｅｘｉｎｇ）変調を用いることを特徴とするマルチキャリア送受信方法。
【発明の詳細な説明】
【０００１】
【発明の属する技術分野】
この発明は、例えば移動体通信システムに適用され、符号分割多重（ＣＤＭ）と、周波数分割多重（ＦＤＭ）であるがキャリア（搬送波）周波数間隔を小さくしたマルチキャリア信号伝送受信方法、その送信装置及びその受信装置に関するものである。
【０００２】
【従来の技術】
現在の移動体通信システムにおいて、高い伝送速度を達成する技術としてマルチキャリア通信方式が注目されている。その中でも、直交関係を用いてキャリア周波数間隔を小さくした直交周波数分割多重（ＯＦＤＭ：Ｏｒｔｈｏｇｏｎａｌ　ＦｒｅｑｕｅｎｃｙＤｉｖｉｓｉｏｎ　Ｍｕｌｔｉｐｌｅｘｉｎｇ）方式は周波数選択性フェージングに対して耐性があること、ガードインターバル（ＧＩ）を付加することによってシンボル間干渉を軽減できること、誤り訂正符号およびインターリービングを組み合わせることによって周波数ダイバーシチ効果を得ることができるなどの利点がある。
【０００３】
このＯＦＤＭ伝送方式の構成を図１に示す。送信機１１は入力端子１２からの送信するデータストリームが直並列変換器１３で直並列変換され、複数の低速のデータストリームとされ、それぞれのサブキャリアごとのマッピング回路１４１　，…，１４Ｑ　へ供給される。各マッピング回路１４１　，…，１４Ｑ　において、その入力された低速データストリームのデータについて信号点に対するマッピングが行われ、そのマッピングされた信号点に応じて対応する変調器１５ｑ　（ｑ＝１，…，Ｑ）で対応するサブキャリアに対する変調が行われ、これら変調された全サブキャリアの信号が加算回路１６で足し合わされ、送信アンテナ１７から空中へ放射される。
【０００４】
受信機２１では、伝送された信号は受信アンテナ２２で受信され、各サブキャリアごとの復号器２３１　，…，２３Ｑ　で受信信号が復調され、これら復調器２３ｑ　の復調出力に対応するデマッピング回路２４ｑで信号点から低速データストリームに変換され、これらデマッピング回路２４１　，…，２４Ｑ　よりの低速データストリームは並列直列変換器２５で並直列変換により１列のデータストリームに変換されてこの端子２６に出力される。
【０００５】
【発明が解決しようとする課題】
ＯＦＤＭ方式に限らず一般にマルチキャリア方式では、通信に要求される誤り率を達成するための所要のＣＮＲ（搬送波対雑音電力比）が満たされない場合、シングルキャリア信号伝送システムと同じように、通信品質が劣化し通信ができなくなる。これはマルチキャリア方式では通信速度が一定であるために、所要のＣＮＲが一定であることによる。この結果、ＣＮＲが低下した場合、例えば基地局から離れた場所の移動局では、ＣＮＲが低くなるために通信ができなくなり、一つの基地局が収容できるユーザ（移動局）数が少なくなってしまう問題がある。
【０００６】
【課題を解決するための手段】
上述の問題点を解決するため、この発明は、マルチキャリア通信方式に符号分割多重（ＣＤＭ：Ｃｏｄｅ　Ｄｉｖｉｓｉｏｎ　Ｍｕｌｔｉｐｌｅｘｉｎｇ）を組み合わせ、この組み合せる符号（コード）多重数を、通信路状態、例えばＣＮＲに応じて制御することによって、通信速度を可変にする。すなわち、受信側において通信路状態、例えばＣＮＲを推定し、その推定結果に応じてコード多重数を決定することによって通信路状態に応じた通信速度で通信をする。
この構成によれば、通信路の状態が悪い場合はコード多重数を小さくすることによって１情報ビット当たりのエネルギーを上げ、所要の受信品質を達成する。逆に、通信路状態が良い場合には１情報ビット当たりのエネルギーを下げて、コード多重数を上げて伝送速度を上げることができる。
【０００７】
【発明の実施の形態】
実施形態１
この発明の実施形態１では、マルチキャリア通信を採用している移動体通信システムにおいて、通信路状態に応じてコード多重数を適応的に変更して送受信を行う。その動作例のフローチャートを図２に、システム構成を図３に示す。動作の前に、その送信機１１と受信機２１との間であらかじめ、コード多重数に対応した拡散符号群の情報を共有し、例えばそれぞれ拡散符号伝達器１８，２８に格納しておく。拡散符号群は、コード多重数分の拡散符号の集合を指すものとする。この情報はコード多重数に対して一意に定まっており、コード多重数を送信機と受信機との間で認識することにより、データの送受信ができる。
【０００８】
最初に、送信機１１と受信機２１との間の通信路状態、例えばＣＮＲを受信機２１の通信路状態観測器４１で観測する（Ｓ１）。通信路状態の観測結果から適切なコード多重数をコード多重数決定器４２で決定し、このコード多重数の情報を送信機１１へ送り、送信機１１と受信機２１間でこのコード多重数の情報を共有する（Ｓ２）。
送信機１１、受信機２１はそれぞれこのコード多重数の情報に基づき拡散符号伝達器１８，２８から送受信に用いる拡散符号群を認識（決定）する（Ｓ３）。次に、送信機１１において、コード多重数に対応した拡散符号群を用いて符号分割多重化部３３で符号分割多重化を行い、受信機２１へ送信する（Ｓ４）。つまり、入力端子１２からのデータストリームは分割回路３４で共有したコード多重数の情報に応じてその数に分割され、これら分割されたデータストリームが、拡散符号伝達器１８からの、前記認識（決定）された拡散符号群の互いに異なる１つの拡散符号によりそれぞれ符号拡散され、これら拡散されたデータストリームが多重化される。
【０００９】
受信機２１では受信した符号多重化データを、符号分割逆多重化部４３で、前記認識（決定）された拡散符号群を用いて逆多重化する（Ｓ５）。これら逆多重化データは合流回路４４で１つのデータストリームに合流されて受信データとして出力端子２６に出力される。
この実施形態１によれば、通信路状態が悪ければ、符号多重数を少なくして、１シンボル当りのエネルギーを大とし、通信品質を向上させることができ、また逆に通信路状態が非常に良好であれば符号多重数を多くして伝送通信容量を増加させることができる。
【００１０】
実施形態２
この実施形態２は図３に示した送信機１１、受信機２１の各具体的構成例を示すもので、時間領域拡散・多重化を行う場合である。送信機１１の構成を図４に、受信機２１の構成を図５にそれぞれ示す。
以下、コード多重数をＮ（Ｎは１以上の整数）、サブキャリア数をＱ、拡散率をＭとする。
コード多重数に対応した拡散符号群の情報のみならず、分割回路３４、合流回路４４におけるデータストリームの分割パタンの情報をも共有しておく。
送信機１１において、受信機２１から送られたコード多重数Ｎの情報が受信部１９で受信され、分割回路３４は決定されたコード多重数Ｎに基づく分割パタン（予め決めたもの例えば入力順）にしたがって、送信するデータストリームをＮ分割し、コード多重数Ｎと等しい数のデータストリームを生成する。これら生成されたＮ個のデータストリームは、それぞれ直並列変換器１３ｎ　（ｎ＝１，…，Ｎ）によってＱ本のデータストリームに更に分割され、各ブランチ、つまり各サブキャリアと対応する処理系へ出力する。この例では直並列変換器１３ｎ　からのＱ本のデータストリーム、各ブランチの出力をマッピング回路１４ｑｎ　（ｑ＝１，…，Ｑ）に入力し、信号点に変換する。マッピング回路１４ｑｎ　の出力をそれぞれ時間領域拡散器３５ｑｎ　に入力し、拡散符号＃ｎ（拡散率Ｍ）を、入力された信号の１シンボルに対して乗算して拡散する。拡散に用いる拡散符号は、コード多重数分（Ｎ個）の拡散符号＃１〜＃Ｎが拡散符号伝達器１８から伝達され、例えば図６Ａに示すように直並列変換器１３１　，…，１３Ｎ　からの各ｑ番目のデータストリームＤｑ１，…，ＤｑＮ　に異なった拡散符号＃１，…，＃Ｎがそれぞれ乗算される。時間領域拡散器３５ｑ１　，…，３５ｑＮの出力が時間領域多重化器３６ｑ　へ供給され、時間領域多重化器３６ｑ　において、それぞれＮ個のデータストリーム信号を加算し、一つのデータストリームにする。以下、これら多重化されたデータストリームに変調器１５ｑ　を通じ加算回路１６で加算し、送信アンテナ１７を通して受信機２１へ伝送する。
【００１１】
図５に示す受信機２１では、受信アンテナ２２において受信した信号を復調器２３１　，…，２３Ｑ　でそれぞれのサブキャリアにおいて復調した後、図５、図６Ｂに示すように時間領域逆拡散器４５ｑ１，…，４５ｑＮ（ｑ＝１，…，Ｑ）において拡散符号伝達器２８からのＮ個の拡散符号＃１，…，＃Ｎを使って、拡散符号を１シンボルずつ乗算して積分することによって、時間領域で拡散した信号を元に戻し、データストリームＤｑ１，…，ＤｑＮが得られる。拡散符号＃１，…，＃Ｎは送信機１１において拡散に用いた拡散符号＃１，…，＃Ｎと同じものである。逆拡散を行った後、得られたＮ個のデータストリームＤｑ１，…，ＤｑＮをデマッピング回路２４ｑ１，…，２４ｑＮでデマッピングして元の信号に戻した後、並直列変換器２５ｎ　（ｎ＝１，…，Ｎ）で、並直列変換する。最後に合流回路４４において、送信側での分割パタンと逆の処理を行ってＮ個のデータストリームを合成することによって送信した情報信号を出力端子２６に得る。
【００１２】
なお、送信機１１、受信機２１の構成は、図に示したものに限られず、例えば、マッピング回路１４ｎ　を直並列変換器１３ｎ　の前に配置し、デマッピング回路２４ｎ　を並直列変換器２５ｎ　の後に配置してもよい。
このように図に示した例に限らないことは以下の各実施形態においても同様である。なお、図４において直並列変換器をＮ個、マッピング回路、時間領域拡散器を各Ｎ×Ｑ個設け、図５において、並直列変換器をＮ個、時間領域逆拡散器、デマッピング回路を各Ｎ×Ｑ個設けているが、これらは、コード多重数Ｎにより変化するものであり、実際の送信機、受信機においては、例えば最大のＮに対応した分用意しておくことになる。以下の各実施形態においても同様である。
【００１３】
実施形態３
送信機１１を図４に示した構成とし、受信機２１の構成を図７に示すもの、時間領域逆拡散器の構成を図８に示すものとすることもできる。
すなわち、復調器２３ｑ　（ｑ＝１，…，Ｑ）よりの各サブキャリアごとの復調出力を時間領域逆拡散器４５ｑ　へ供給し、各時間領域逆拡散器４５ｑ　において、送信機１１の分割回路３４で用いた分割パタンに応じてＮ個の拡散符号を順番に選択して乗算して逆拡散する。この構成によって、データストリームを合成する処理を省くことができる。
【００１４】
実施形態４
送信機１１の構成を図９に示すものとし、時間領域拡散器の構成を図１０に示すものとし、受信機２１および時間領域拡散器の構成は、それぞれ図７、図８に示したものを用いる。
入力端子１２よりのデータストリームは直並列変換器１３でＱ個のデータストリームに変換されてマッピング回路１４１　，…，１４Ｑ　へ供給され、マッピング回路１４１　，…，１４Ｑ　の出力は時間領域拡散器３５１　，…，３５Ｑ　へ供給される。時間領域多重化器３６１　，…，３６Ｑ　はバッファを備えるものである。時間領域拡散器３５ｑ　（ｑ＝１，…，Ｑ）において、その入力を分割パタンに応じて、拡散符号伝達器１８からのＮ個の拡散符号を順番に乗算していき、その乗算出力、つまり符号拡散出力を時間領域多重化器３６ｑ　内のバッフアに格納していく。すなわちＭ個のビット（チップ）よりなる拡散符号により拡散されたデータストリームをバッファに格納し、１つの拡散符号分のこのデータストリームに対し、新たに拡散した後のＭ個のデータよりなるデータストリームを足し合わせていくことにより、各サブキャリアごとのＮ個の拡散したデータストリームをそれぞれ多重化する。
受信機２１における時間領域逆拡散器では、図７、図８と同様に分割パタンに応じてＮ個の拡散符号を順番に乗算して逆拡散する。
【００１５】
実施形態５
この実施形態５は送信機の構成を図９に示したもの、時間領域拡散器を図１０に示したものを用い、受信機の構成を図５に示したもの、時間領域逆拡散器を図６Ｂに示したものを使用した場合である。
【００１６】
実施形態６
実施形態６は、図３に示した構成における送信機１１の符号分割多重化部３３として周波数領域拡散・多重化を行う構成のものとし、受信機２１の符号分割逆多重化部４３に周波数領域逆拡散器を用いる。その送信器１１の構成を図１１に、その周波数領域拡散器の構成を図１２に、受信機２１の構成を図１３に、その周波数領域逆拡散器を図１４にそれぞれ示す。
これまでの説明と同様に周波数領域拡散器、周波数領域逆拡散器以外は、各図の対応する部分は同一参照番号を付けてある。この実施形態においても、送信機１１と受信機２１間では、あらかじめ、コード多重数に対応した拡散符号群の情報および、分割回路・合流回路におけるデータストリームの分割パタンを共有しておき、また、通信路状態に応じたコード多重数を決定しこれを共有し、コード多重数に対応した拡散符号群を周波数領域拡散器、周波数領域逆拡散器へ伝達する。
【００１７】
送信機１１において分割回路３４により生成されたコード多重数分のＮ個のデータストリームをマッピング回路１４１　，…，１４Ｎ　で信号点に変換し、マッピング回路１４１　，…，１４Ｎ　の出力をそれぞれ周波数領域拡散器３７に入力する。この例では周波数領域拡散器３７は図１２に示すようにＮ個の周波数領域拡散器３７１　，…，３７Ｎ　を備え、入力されたデータストリームをＭ個のブランチへ割り当てる。つまりそれぞれ同一データストリームをＭ個のブランチに分岐する。拡散率Ｍ、つまり構成ビット（チップ）数がＭ個の拡散符号（拡散率Ｍ）を、１ビットずつ、ブランチの信号に乗算する。拡散に用いる拡散符号は、コード多重数分（Ｍ個）の拡散符号＃１，…，＃Ｎが拡散符号伝達器１８から伝達され、それぞれのデータストリームに異なった拡散符号が乗算される。つまり入力されたデータストリームＤｎ　（ｎ＝１，…，Ｎ）はＭ個のブランチの乗算器３７０ｎ１，…，３７０ｎＭで拡散符号＃ｎの構成ビット（Ｍ個）の対応するものとそれぞれ乗算される。その後、周波数領域多重化器３８において、各Ｎ個のデータストリーム信号を加算し、それぞれ一つのデータストリームにする。即ち図１２に示すように周波数領域拡散器３７１　，…，３７Ｎ　よりの各乗算器３７０ｍ１，…，３７０ｍＭ（ｍ＝１，…，Ｍ）の出力が加算器３８ｍ　でそれぞれ加算されて多重化される。加算器３８１　，…，３８Ｍ　よりのデータストリームはそれぞれ変調器１５１　，…，１５Ｍ　、加算回路１６、送信アンテナ１７を通して受信機２１へ伝送される。
【００１８】
受信機２１では、図１３に示すように受信アンテナ２２において受信した信号を復調器２３１　，…，２３Ｍ　でそれぞれのサブキャリアにおいて復調した後、周波数領域逆拡散器４７１　，…，４７ｎ　において、Ｎ個の拡散符号＃１，…，＃Ｎを使って、図１４に示すように各復調器２３ｍ　（ｍ＝１，…，Ｍ）の復調出力をそれぞれＮ個にブランチしてＮ個の同一データストリームを作り、周波数領域逆拡散器４７１　，…，４７Ｎ　においてブランチされた各Ｎ個の同一データストリーム中の各１つのストリームについて乗算器４７０ｎ１，…，４７０ｎＭ（ｎ＝１，…，Ｎ，ｍ＝１，…，Ｍ）で対応する拡散符号＃ｎのＭ個の構成ビット中の対応するものがそれぞれ乗算され、各乗算器４７０ｎ１，…，４７０ｎＭの出力を合成器４７ａｎでそれぞれ合成することによって周波数領域逆拡散する。逆拡散を行った後、得られたＮ個のデータストリームをデマッピング回路２４１　，…，２４Ｎ　でそれぞれデマッピングして元の信号に戻した後、合流回路４４において、分割パタンと逆の処理を行ってＮ個のデータストリームを合成することによって送信した情報信号を出力端子２６に得る。
【００１９】
実施形態７
この実施形態７では送信機１１としては図１３に示したものを使用し、受信機２１は図１５に示す構成のものを、周波数領域逆拡散器として図１６に示すものを使用する。これは時間領域拡散／逆拡散における図７、図８に示した技術を周波数領域拡散／逆拡散に適用したものである。つまり周波数領域逆拡散器４７では、入力される復調器２３１　，…，２３Ｍ　からの各データに対し、図１６に示すように乗算器４７０１　，…，４７０Ｍ　で拡散符号＃１，…，＃Ｎを、送信機の分割回路３４の分割パタンと対応した順にその拡散符号のＭ個の構成ビットの対応するものをそれぞれ乗算し、その乗算結果を合成器４７ａにより合成し、その合成出力をマッピング回路２４へ供給する。この構成により合流回路４４を省略できる。
【００２０】
実施形態８
この実施形態８は受信機２１として図１５に示したものを用いるが、送信機１１の構成を図１７に示すものを、周波数領域拡散器の構成を図１８に示すものとした場合である。
これは実施形態４に示した構成を周波数領域拡散／逆拡散に変えたものと対応する。この場合は図１１中の分割回路３４が省略され、入力端子１２よりデータストリームを１つのマッピング回路１４へ供給し、更にマッピング回路１４の出力を周波数領域拡散器３７へ供給する。周波数領域拡散器３７で図１８に示すように、入力されたデータストリームはＭ個のブランチに分岐され、乗算器３７１　，…，３７Ｍ　へ供給される。一方、拡散符号＃１，…，＃Ｎが分割パタンで決まる順に選択して取出され、取出された拡散符号のそのＭ個の構成１ビットの対応するものが乗算器３７１　，…，３７Ｍ　でその入力に対する乗算が行われ、これら乗算結果が周波数領域多重化器３８のバッファへ格納され、つまり図１８に示すように、乗算器３７０１　，…，３７０Ｍ　の出力はそれぞれ加算器３８１　，…，３８Ｍ　へ供給され、それぞれ１ビット乗算出力がそのバッファに格納され、次の１ビット乗算出力がバッファに格納されている乗算出力に対し足し込まれることが順次行われ、それぞれＮ個分が足し込まれるごとに多重化出力として変調器１５ｍ　に出力される。
【００２１】
実施形態９
実施形態９は送信機１１の構成を図１７に示すものとし、その周波数領域変換器３７の構成を図１８に示すものとし、受信機２１の構成を図１３に示すものとし、その周波数領域逆拡散器の構成を図１４に示すものとした場合である。これは実施形態５において、時間領域拡散／逆拡散を周波数領域拡散／逆拡散に変えたものとなる。
【００２２】
実施形態１０
実施形態１０は実施形態６から９における周波数領域拡散器及び周波数領域逆拡散器を変形例としたものである。周波数領域拡散器では図１９に示すように、入力されたデータストリームを乗算器３７ｂでシンボルごとに拡散符号を乗算し、その乗算出力を直並列変換器３７ｃでＭ個の並列データに変換する。
この図１９に示したものは図１２の各拡散器３７ｎ　や図１８の拡散器３７として使用することができる。
周波数領域逆拡散器では図１４中の各拡散器４７ｎ　及び合成器４７ａｎや図１６の拡散器４７及び合成器４７ａの代りに図２０に示すように並列に入力されたＭ個の復調信号を並直列変換器４７ｂで直列復調信号に変換し、その直列復調信号を、乗算器４７ｃで拡散符号を乗算し、その乗算出力を積分器４７ｄで積分して出力するようにしてもよい。
【００２３】
実施形態１１
実施形態１１は実施形態１において、周波数領域拡散・多重化を行う機能を備え、拡散・多重化した後の信号をコード多重数に対応した割り当てパタンにしたがってサブキャリアに可変に割り当てて送受信を行う。実施形態１１の動作のフローチャートを図２１に示す。拡散率がサブキャリア数よりも小さいとき（Ｍ＜Ｑ）に効果がある実施形態であり、１シンボルの拡散・多重化した信号を割り当てるサブキャリアを、コード多重数に応じて可変にする。
動作の前に、送信機１１と受信機２１間であらかじめ、コード多重数に対応した拡散符号群の情報のみならずコード多重数に対応したパタン情報を共有しておく。拡散符号群同様に、パタン情報もコード多重数に対して一意に定まっており、コード多重数を送信機１１と受信機２１間で認識することにより、データの送受信ができる。
【００２４】
最初に、実施形態１と同様にチャネル状態を観測し（Ｓ１）、コード多重数を決定し、送信機と受信機間でコード多重数の情報を共有し（Ｓ２）、送受信に用いる拡散符号群を認識し（Ｓ３）、この実施形態ではそのコード多重数の情報に基づき、割り当てパタンを認識する（Ｓ４）。
次に、送信機において、認識した拡散符号群を用いて、周波数領域拡散により、符号分割多重化を行い（Ｓ５）、その多重化信号を認識した割り当てパタンにしたがってサブキャリアに割り当てて送信する（Ｓ６）。受信機はサブキャリアに割り当てられた信号を、認識した割り当てパタンにしたがって元に戻し（復調し）（Ｓ７）、認識した拡散符号群を用いて逆拡散し、データ受信を行う（Ｓ８）。
【００２５】
マルチキャリア通信方式では、遅延波が存在するフェージング環境下において、サブキャリアごとに受信電力が変動する。図２２に６４本のサブキャリアＦ１〜Ｆ６４から構成されているチャネルの、フェージング環境下における受信周波数特性の例を示す。縦軸は受信平均電力、横軸はサブキャリアＦ１〜Ｆ６４を示している。このように、サブキャリアによって受信平均電力が変わっていることが分かる。
すなわち、受信電力が大きいサブキャリアと小さいサブキャリアが存在する。したがって、周波数領域で拡散した１シンボルの信号を、複数のサブキャリア（以下、サブキャリア群と定義する）で伝送し、受信側で合成（逆拡散）することによって、合成後の信号の電力が小さくなる確率は減る。これはいわゆる周波数ダイバーシチ効果である。
この周波数ダイバーシチ効果により、周波数領域拡散を行う方式は時間領域拡散を行う方式よりも良好な特性を示す。図２３に周波数領域拡散を行う方式と時間領域拡散を行う方式の特性例を示す。縦軸はパケット誤り率ＰＥＲ、横軸は搬送波対雑音電力比ＣＮＲである。両方式のシステムパラメータを図４２に示す。チャネルは遅延分散１００ｎｓの指数減衰型レイリーフェージングチャネルを想定し、コード多重数は８としている。周波数領域拡散を行う方式の送信機、受信機構成は図２４、図２５のように構成されている。
【００２６】
図２４、図２５において、これまでに示した図中と対応する部分に同一参照番号を付けて、説明を簡略にする。送信機１１では分割回路３４からのＮ個のストリームデータは直並列変換器１３１　，…，１３Ｎ　でＲ個の並列ストリームデータに変換され、これらの各ｒ番目（ｒ＝１，…，Ｒ）のデータのＮ個がそれぞれマッピング回路１４ｒ１，…，１４ｒ　Ｎを通じて周波数領域拡散器３７ｒ　へ供給され、例えば図１２に示したと同様な構成でそれぞれ周波数領域拡散が行われる。各周波数領域拡散器３７ｒ　よりの拡散出力は、周波数領域多重化器３８ｒ　へ供給され、その拡散符号の対応ビットごとに各Ｎ個の拡散値がそれぞれ多重化されてＭ個の拡散出力が変調器１５ｒ１，…，１５ｒＭへ供給され、それぞれ対応するサブキャリアに変換され、加算回路１６で加算、送信される。サブキャリアの数はＲ×Ｍである。
【００２７】
受信機２１では受信信号は復調器２３ｒ１，…，２３ＲＭでそれぞれ復調され、これら復調出力は周波数領域逆拡散器４７ｒ　（ｒ＝１，…，Ｒ）で図１４に示したと同様な構成により逆拡散されて、ｒ番目のＮ個のデータが得られ、これらはデマッピング回路２４ｒ１，…，２４ｒＮでデマッピングされ、更に並直列変換器２５１　，…，２５Ｎ　でＲ個の並列データがそれぞれ直列データに変換され、これらＮ個の直列データが合流回路４４で１つのストリームデータに合流される。
大きな周波数ダイバーシチ効果を得ようとした場合は、１シンボルの拡散した信号を伝送するサブキャリアの受信信号の位相・振幅特性の相関が低くなるように伝送するとよい。これを実現するために、伝送するサブキャリア群をそのサブキャリアの順番が連続しないように構成する。例えば、あるサブキャリア群を、１番目、１２番目、２４番目、３６番目のサブキャリアＦ１，Ｆ１２，Ｆ２４，Ｆ３６で構成する。
【００２８】
ところで、上記のようにサブキャリア番号が不連続にサブキャリア群を構成し、受信側で相関が低いサブキャリアとなるように伝送すると、コード間干渉が発生する。つまり送信前では異なる拡散符号で拡散された信号が互いに直交しているにもかかわらず、受信後ではサブキャリアごとに受信振幅が異なるために信号の直交性が崩れる現象が発生し、逆拡散すると干渉が発生する。
図２６Ａに示すように送信側でデータＤ１を拡散符号Ｃ１で拡散して拡散信号ＳＤ１として送信した場合に、受信側において、図２６Ｂに示すように送信側で拡散のために乗算した拡散符号Ｃ１と同じ拡散符号Ｃ１で受信信号ＳＤ１を逆拡散すると、信号振幅の変動が無い理想状態としては元のデータ（信号）Ｄ１を得ることができる。またこの理想状態として図２６Ｃに示すように受信信号ＳＤ１を異なった拡散符号Ｃ１で逆拡散しても信号成分は発生せず、コード間干渉は発生しない。
【００２９】
しかし、実際は通信路状態の変動の影響によって受信信号の振幅は変動する。受信側で、通信路状態を観測して変動した振幅を元に戻して逆拡散する方法（ＯＲＣ：Ｏｒｔｈｏｇｏｎａｌ　Ｒｅｓｔｏｒｉｎｇ　Ｃｏｍｂｉｎｉｎｇ）があるが、特性が劣化することが報告されている（例えば文献Ｒ．Ｐｒａｓａｄ　ａｎｄ　Ｓ．Ｈａｒａ，“Ａｎ　ｏｖｅｒｖｉｅｗ　ｏｆ　ｍｕｌｔｉ−ｃａｒｒｉｅｒＣＤＭＡ”，Ｐｒｏｃ．ｏｆ　Ｉｎｔｅｒｎａｔｉｏｎａｌ　Ｓｙｍｐｏｓｉｕｍ　ｏｎ　Ｓｐｒｅａｄ　Ｓｐｅｃｔｒｕｍ　Ｔｅｃｈｎｉｑｕｅｓ　＆Ａｐｐｌｉｃａｔｉｏｎｓ（ＩＳＳＳＴＡ），ｐｐ．１０７−１０４，１９９６．）。従って、振幅が変動したままの受信信号を逆拡散する必要がある。この場合に、図２６Ｄに示すように、受信信号の振幅がサブキャリアによって大きく異なる場合、送信側と同一拡散符号で逆拡散することにより信号成分を得ることができるが、図２６Ｅに示すように送信側と異なった拡散符号Ｃ２で逆拡散しても信号成分が生じ、つまりコード間干渉が発生する。コード間干渉は、コード多重数が増加するにつれて大きなものになる。すなわち、コード間干渉の影響と周波数ダイバーシチ効果はトレードオフの関係にあり、コード多重数に応じて変動する。
【００３０】
図２７にコード多重数が１の時と４の時の周波数領域拡散を行う方式のパケット誤り率ＰＥＲ特性の例を示す。このときのシステムパラメータを図４３に示す。サブキャリア群が連番のサブキャリアで構成された場合（＃１）、サブキャリア群が順番が連続しないサブキャリアで構成された場合（＃２）を示している。これらの２つのサブキャリア群のサブキャリア構成を図４４に示す。サブキャリア群は鍵括弧でくくられて示されている。
コード多重数が１の時は、＃２は＃１よりも特性が改善されており、大きな周波数ダイバーシチ効果が得られていることが分かる。しかし、コード多重数が４の時は、コード間干渉により、＃２は＃１よりも特性が劣化していることが分かる。
【００３１】
そこで、この実施形態１１では、コード多重数に応じて１シンボルの拡散信号を割り当てるサブキャリア群を可変にする。コード間干渉の影響を小さくするためには、サブキャリア群内の受信信号の振幅変動が小さくなる必要がある。そこで、コード多重数が大きい場合は、隣接サブキャリア間の受信信号の振幅変動は小さいとみなし、隣接したサブキャリアでサブキャリア群を図２８に示すように構成する。この図２８では順番が連続する４つのサブキャリアでサブキャリア群を構成した場合で各サブキャリア群内では受信信号のサブキャリアの振幅の差は比較的小さい。
【００３２】
一方、コード多重数が小さい場合は周波数ダイバーシチ効果を得るために、１シンボルの拡散信号に割り当てるサブキャリア群を構成するサブキャリアを、例えば図２９に示すようにとびとびにする。この場合は図２９に示すようにサブキャリア群を構成する複数のサブキャリアの受信信号の振幅がサブキャリアにより大きく異なる状態になっても大きな周波数ダイバーシチ効果を得ることができる。
【００３３】
実施形態１２
この実施形態１２は実施形態１１の方法を実現するための装置であり、実施形態６から１０において、コード多重数に対応した連結パタンをスイッチに伝達する連結パタン伝達器と、伝達された連結パタンによってスイッチング動作が変更される空間スイッチを設けて実施形態１１の方法を実現する。以下、実施形態６に実施形態１２を適用した場合について説明を行う。
この場合の送信機１１、受信機２１の各構成を図３０、図３１にそれぞれ示す。送信機１１においては図１１に示した構成に対し、変調器の数が周波数領域多重化器３８の出力端の数Ｍより多い数Ｑとされ、周波数領域多重化器３８と変調器１５１　，…，１５Ｑとの間に、空間スイッチ５１が挿入され、コード多重数Ｎに対応した連結パタンを発生して空間スイッチ５１に伝達して空間スイッチ５１を制御する連結パタン伝達器５２が設けられる。また受信機２１においては図１３に示した構成に対し、送信機１１と同様に復調器の数はＱ個（Ｑ＞Ｍ）とされ、復調器２３１　，…，２３Ｑと周波数領域逆拡散器４２のＭ個の入力端との間に空間スイッチ６１が挿入され、コード多重数に対応した連結パタンを発生して空間スイッチ６１に伝達して空間スイッチ６１を制御する連結パタン伝達器６２が設けられる。
【００３４】
受信機２１の通信路状態観測器４１において観測された通信路状態に応じて決定されたコード多重数Ｎは送信機、受信機の各拡散符号伝達器１８，２８のみならず連結パタン伝達器５２，６２にも伝達される。連結パタン伝達器５２，６２は、コード多重数Ｎに対応した連結パタンを空間スイッチ５１，６１にそれぞれ伝達する。
送信機１１において空間スイッチ５１はこれに伝達された連結パタンに応じて、周波数領域多重化器３８のＭ個の出力側と変調器１５１　，…，１５Ｑとを相互に連結し、周波数領域多重化器３８のＭ個の出力を、コード多重数に応じて連続する順番や不連続順番でサブキャリアに割り当て、そのサブキャリアにより送信される。その他の動作は図１１に示したものと同様である。この場合、Ｑ＝ＭでもよいがＱ＞Ｍとされているので通信路状態の影響を一層受け難い通信を行うことができる。
【００３５】
受信機２１では、空間スイッチ６１において、これに伝達された連結パタンを用いて、復調器２３１　，…，２３Ｑと周波数領域逆拡散器４７のＭ個の入力側が連結され、この連結に従って、各サブキャリアの復調出力が周波数領域逆拡散器４７の入力側の何れかに入力される。その他の動作は図１３に示したものと同様である。
この図３０、図３１に示した構成により、コード多重数Ｎが多ければ順番が連続するサブキャリアが用いられ、コード間干渉が小となり、コード多重数Ｎが少なければ、順番が不連続のサブキャリアが用いられて周波数ダイバーシチ効果が大となるように、周波数領域拡散器３７のＭ個の出力側とＱ個の変調器１５１　，…，１５Ｑ　との組合せ接続、またＱ個の復調器２３１　，…，２３Ｑ　と周波数領域逆拡散器４７のＭ個の入力側との組合せ接続がそれぞれ連続パタンに応じて変更される。Ｑ＞Ｍの場合、特に有効であることは容易に理解されよう。
【００３６】
実施形態１３
この実施形態１３は実施形態１２において、連結パタン伝達器５２，６２において、コード多重数に対応した連結パタンを記憶する記憶素子５２ａ，６２ａを備え、コード多重数決定器４２より伝達されたコード多重数に対応した連結パタンが読み出される。実施形態１１で述べたように、周波数領域多重化器３８の出力は、コード多重数が大きい場合は隣接した（連番の）サブキャリアに割り当てられ、コード多重数が小さい場合は非隣接（非連番）のサブキャリアに割り当てる。
例えば、図４５に示すようなテーブルが記憶素子５２ａ，６２ａに保持され、コード多重数に応じて連結パタンが読み出される。ある周波数領域多重化器３８の４つの出力は、コード多重数が４の時は０〜３番目のサブキャリアＦ０，Ｆ１，Ｆ２，Ｆ３に割り当てられ、コード多重数が２の時は０，１２，２４，３６番目のサブキャリアＦ０，Ｆ１２，Ｆ２４，Ｆ３６に割り当てられる。
【００３７】
実施形態１４
この実施形態１４では、周波数領域で拡散・多重化した後の信号を、通信路状態に応じたパタンにしたがってサブキャリアに可変に割り当てて送受信を行う。動作のフローチャートを図３２に示す。この実施形態１４は拡散率がサブキャリア数よりも小さいとき（Ｍ＜Ｑ）に効果があり、拡散した１シンボルの信号に割り当てるサブキャリア群を、通信路状態に応じて可変にする。例えば各サブキャリアの受信振幅を観測し、その観測結果に応じてサブキャリア群を決定する。
動作の前に、送信機と受信機間であらかじめ、コード多重数に対応した拡散符号群の情報を共有しておき、通信路状態を観測する（Ｓ１）。この通信路状態には各サブキャリアの受信振幅も含まれ、通信路状態の観測結果からコード多重数を決定し、送信機と受信機間でコード多重数の情報を共有する（Ｓ２）。コード多重数の情報から、使用する拡散符号群を認識する（Ｓ３）。この実施形態では更に、観測した各サブキャリアの受信振幅からサブキャリア群を構成する。この構成を実現するためのパタン情報を決定し、送信機と受信機間で共有する（Ｓ４）。
次に、送信機において、認識した拡散符号群を用いて符号分割多重化を行い（Ｓ５）、これらを決定したパタンにしたがってサブキャリアに割り当てて送信する（Ｓ６）。受信機は、サブキャリアに割り当てられた信号を、決定したパタンにしたがって元に戻し（Ｓ７）、認識した拡散符号群を用いて逆拡散し、原データを得る（Ｓ８）。
【００３８】
実施形態１５
実施形態１５は実施形態１４を実現するための装置であり、実施形態６〜１０のそれぞれにおいて、周波数領域多重化器３８の出力側、周波数領域逆拡散器４７の入力側の各数Ｍに対し、Ｍ個より多いＱ個の変調器、復調器をそれぞれ設け、通信路状態観測器４１において通信路状態の推定結果から空間スイッチの連結パタンを決定して空間スイッチへ伝達する連結パタン決定器と、伝達された連結パタンによってスイッチング動作が変更される空間スイッチとが設けられる。以下、この実施形態１５を実施形態６に適用した場合について説明を行う。
送信機１１、受信機２１の各構成を図３３、図３４にそれぞれ示す。図３０に示した送信機１１と同様に、周波数領域多重化器３８と変調器１５１　，…，１５Ｑ　との間に空間スイッチ５１が挿入され、この実施形態１５では空間スイッチ５１は受信部１９からの連結パタンにより制御される。受信機２１は図３１に示した受信機２１と同様に、復調器２３１　，…，２３Ｑ　と周波数領域逆拡散器４７との間に空間スイッチ６１が挿入され、連結パタン決定器６３が空間スイッチ６１に接続される。
まず、受信機２１の通信路状態観測器４１の観測結果から適切なコード多重数を決定し、拡散符号伝達器１８，２８へ伝達し、また、通信路状態観測結果と、決定されたコード多重数とから、連結パタン決定器６３において空間スイッチ５１，６１用の連結パタンを決定し、空間スイッチ５１，６１へ伝達する。つまり、この連結パタンの決定が実施形態１２と異なり、その他は図３０に示した送信機、図３１に示した受信機と同様であるから、その動作の説明は省略する。
【００３９】
実施形態１６
実施形態１６は実施形態１５において、通信路状態観測器４１で各サブキャリアの受信信号の振幅値を測定して、連結パタン決定器６３ではコード多重数およびサブキャリア受信信号の振幅値から連結パタンを決定する。
、コード間干渉の影響を緩和するためには、１シンボルの拡散信号に割り当てるサブキャリア群内の受信信号の振幅変動、つまりサブキャリア間の受信振幅の差を小さくすれば良い。したがって、全サブキャリアの受信振幅を推測し、コード多重数が大きい場合は振幅値の差が小さくなるようにサブキャリア群を構成し、コード多重数が小さい場合は振幅値の差が大きくなるようにサブキャリア群を構成する。
通信路状態推定器４１では、通信路状態を推定してコード多重数を決定すると同時に、サブキャリアごとの信号の受信振幅を観測する。決定したコード多重数が小さい場合は、観測結果から受信振幅値の差が小さくなるようにサブキャリア群を構成し、空間スイッチの連結パタンを決定する。
【００４０】
実施形態１７
実施形態１７は実施形態１〜１６において、搬送波対雑音電力比（ＣＮＲ）に応じてコード多重数を決定する。通信路状態観測器４１においてＣＮＲを測定してコード多重数決定器４２に伝達し、コード多重数決定器４１において適切なコード多重数を決定する。ＣＮＲが低いときはコード多重数を小さくし、１情報ビット当たりのエネルギを上げて所要の受信品質を達成する。ＣＮＲが高いときはコード多重数を大きくし、伝送速度を上げる。例えば、コード多重数決定器４１は４６に示すようなＣＮＲとコード多重数の関係を示すテーブルを保持し、ＣＮＲに応じたコード多重数を決定する。
【００４１】
実施形態１８
実施形態１８は実施形態１〜１６において、ＣＮＲおよび遅延分散に応じてコード多重数を決定する。つまり通信路状態観測器４１においてＣＮＲおよび遅延分散を測定してコード多重数決定器４２に伝達し、コード多重数決定器４２においてＣＮＲおよび遅延分散に応じて適切なコード多重数を決定する。ＣＮＲに加えて、遅延分散も受信品質に影響を及ぼし、遅延分散が高くなると受信品質が劣化する。したがって、遅延分散が高いときはコード多重数を小さくし、１情報ビット当たりのエネルギを上げて所要の受信品質を達成する。従って例えば図３４中に示すように、通信路状態観測器４１はＣＮＲ測定部４１ａ、遅延分散測定部４１ｂ、サブキャリア振幅測定部４１ｃを備える。
【００４２】
実施形態１９
実施形態１９は実施形態１〜１８において、拡散符号伝達器１８，２８は拡散符号系列を記憶する記憶素子を持ち、コード多重数決定器４２において決定されたコード多重数に対応した拡散符号を記憶素子から読み出して出力するものである。たとえば、拡散符号伝達器１８，２８は図４７に示すような、拡散符号系列に番号を付与したテーブルと、図４８に示すような、コード多重数に対応した拡散符号系列の番号を記したテーブルを記憶素子に保持し、コード多重数に応じて拡散符号を参照し、記憶素子から読み出す。例えば図３３中に示すように、拡散符号伝達器１８は図４８に示した多重数−拡散符号番号テーブル（記憶素子）１８ａと、図４７に示した拡散符号テーブル（記憶素子）１８ｂを備え、入力されたコード多重数によりテーブル１８ａから拡散符号番号群の１つが読み出され、その読み出された拡散符号番号群の各番号により拡散符号テーブル１８ｂから各拡散符号が読み出される。
【００４３】
実施形態２０
実施形態２０は実施形態１〜１８において、拡散符号伝達器１８，２８は拡散符号系列を発生させる生成器を持ち、コード多重数決定器４２において決定されたコード多重数に対応した拡散符号を生成して出力するものである。たとえば、拡散符号として、シフトレジスタから生成されるゴールド符号を用いる場合、図４８に示した各テーブルに加えて、各拡散符号番号と対応してシフトレジスタの初期状態やシフトレジスタの結線情報を保持し、コード多重数に応じてシフトレジスタに対する初期状態の設定と結線を行って、読み出された各拡散符号番号の拡散符号を生成する。
【００４４】
実施形態２１
実施形態１〜２０において、コード多重数の情報、連結パタン情報を送信機１１と受信機２１とで無線通信手段を用いて共有する。すなわち、コード多重数の情報、連結パタン情報をマッピング回路、変調器、送信アンテナを通して通信相手の送信機と並設された受信機へ無線伝送する。一般的通信の一方側も他方側もそれぞれ送信機と受信機を備えており、受信機２１側に設けられた送信機を用いてコード多重数情報などを送信機１１側の受信機へ送信すればよい。サーキュレータを用いることによって、送信アンテナと受信アンテナを１つのアンテナで共用してもよい。
【００４５】
実施形態２２
実施形態２２は実施形態１〜２１において、ＯＦＤＭ変調を行う。つまり、送信機１１における変調器１５１，…，１５Ｑ（又は１５Ｍ）および加算回路１６を逆フーリエ変換器に、受信機２１における復調器２５１，…，２５Ｑ（又は２５Ｍ）をフーリエ変換器に置き換えることによって実現することができる。
【００４６】
実施例
以下に、この発明の実施例を説明する。図３５に示すような基地局７１から端末局Ｕ１，Ｕ２への通信（ダウンリンク）を想定する。端末局Ｕ１，Ｕ２から基地局７１への通信（アップリンク）の場合も同様である。基地局７１のサービスエリア（セル）７２内に複数の端末局（ユーザ）が存在し、無線通信サービスを受けているものとする。アクセス方式は時分割多重アクセス方式（ＴＤＭＡ：Ｔｉｍｅ　Ｄｉｖｉｓｉｏｎ　Ｍｕｌｔｉｐｌｅ　Ａｃｃｅｓｓ）とし、各端末局（ユーザ）はそれぞれ異なったタイムスロットを基地局７１から割り当てられている。この実施例で想定したシステムパラメータは図４３に示したものと同様である。
【００４７】
ダウンリンクではシンボル間の同期を取ることができるため、拡散符号には符号同士が互いに直交して無相関となるウォルシュアダマール符号（以下、ＷＨ符号）を用いる。拡散符号の拡散率Ｍを４としているため、図４７に示すような４つの拡散符号が存在する。コード多重数Ｎに応じて、図４８に示したような拡散符号の割り当てが決定されており、拡散符号群として定義されている。
基地局７１、端末局Ｕの各拡散符号伝達器、各連結パタン伝達器におけるコード多重数Ｎの初期値は１に設定されている。まず、端末局Ｕで基地局７１と端末局Ｕ間の通信路状態の推定を通信路状態観測器４１で行う。ここではプリアンブルを用いて通信路状態を推定する。基地局と端末局間の通信に用いるフレームのフレームフォーマットの一例を図３８に示す。つまり通信フレームはプリアンブル部９１とこれに続くデータ部９２とよりなりプリアンブル部９１はある決まったパタンを持ち、基地局７１と端末局Ｕとの間で既知とする。プリアンブル信号は、基地局７１のプリアンブル送出部５８に保持されており、スイッチ５７、周波数変換器５９、アンテナ１７を通して端末局Ｕへ伝送される。端末局Ｕにおいて、プリアンブル信号はアンテナ２２、周波数変換器６９を通して通信路状態観測器４１に入力される。通信路状態観測器４１では、通信路の状態を観測し、コード多重数決定器４２へ伝達する。伝達する通信路状態のパラメータは、この例ではＣＮＲを用いるものとする。コード多重数決定器４２は、図４６に示したようなディシジョンテーブルを持ち、観測されたＣＮＲに応じたコード多重数Ｎを決定する。
【００４８】
決定されたコード多重数Ｎは制御信号に変換され、基地局７１と端末局Ｕの各拡散符号伝達器１８，２８、各連結パタン伝達器５２，６２へ伝送される。基地局７１の拡散符号伝達器１８、連結パタン伝達器５２へは制御信号を、マッピング回路８５、変調器８６により無線信号に変換し、アンテナ２２を通して基地局７１へ伝送し、これを基地局７１のアンテナ１７で受信し、変調器７５、デマッピング回路７６により制御信号を得る。両局の拡散符号伝達器１８，２８は受け取った制御信号からコード多重数Ｎを解読する。拡散符号伝達器１８，２８は拡散符号系列を記憶する記憶素子を持ち、図４７、図４８に示したようなテーブルを保持し、コード多重数Ｎに応じて拡散符号群を記憶素子から読み出して、周波数領域拡散器３７、周波数領域逆拡散器４７へ伝達する。連結パタン伝達器５２，６２は、図４５に示したようなテーブルを保持し、コード多重数Ｎから空間スイッチ５１，６１に対する連結パタンを参照する。図４５の番号（０〜１５）はサブキャリア番号を示し、一つの周波数領域多重化器３８ｒ（ｒ＝１，…，Ｒ）からの各Ｍ個の出力ストリームはかぎ括弧でくくられたサブキャリア群のサブキャリアの成分として出力される。連結パタンは、コード多重数Ｎが大きい時はこの例ではＮ＝３とＮ＝４の場合は図４５に示すように番号順が連続したサブキャリアに割り当て、つまり、図３４に示すように周波数領域多重化器３７１〜３７Ｒよりの各Ｍ個の出力側がその全体の配列が保持されてサブキャリアｆ０〜ｆＱの端子に出力される。一方コード多重数Ｎが小さい時は、この例ではＮ＝１，Ｎ＝２の場合図４５に示すようにとびとびのサブキャリアに割り当てられるように設定されている。この場合図４０に示すように周波数領域多重化器３７１〜３７Ｒの出力端子の各Ｍ個の配列がそれぞれ広げられて、サブキャリアｆ０〜ｆａの端子と接続される。読み出された連結パタンを空間スイッチへ伝達する。空間スイッチ５１，６１では、伝達された連結パタンを用いてその入力ポートと出力ポートを連結する。このように連結パタンにより空間スイッチ５１，６１の入力ポートと出力ポートの組合せ接続状態が、例えば図３９と図４０とに変更される。
【００４９】
このように拡散符号群、連結パタンを設定した後、基地局７１において、畳み込み符号器のインタリーバ７７で出力端子１２から送信するストリームを畳み込み符号化して、インターリービングした後、このストリームをＲ＝１２（＝サブキャリア数Ｑ／周波数領域拡散率Ｍ）のブランチを有する直並列変換器１３によって１２本の並列ストリームに分割し、各ブランチへ出力する。
これら１２個のブランチに割り当てられたストリームはマッピング回路１４１，…，１４Ｒへ入力される。マッピング回路１４１，…，１４Ｒにおいて、送信ストリームは送信用の信号点に変換される。その後、マッピング回路１４１，…，１４Ｒの出力ストリームを周波数領域拡散器３７１，…，３７Ｒへ入力する。
【００５０】
周波数領域拡散器３７１，…，３７Ｒでは、図１８で説明したように入力されたストリームを４本（＝Ｍ）複製して４本のブランチにそれぞれ割り当て、伝達された拡散符号を１ビットずつ各ブランチに割り当てられたストリームに乗算する。コード多重数分のストリームに対して割当てられた拡散符号群の各拡散符号を順次乗算し、周波数領域多重化器３８１，…，３８Ｒへ出力する。
周波数多重化器３８１，…，３８Ｒでは、入力されるコード多重数分のデータストリームをバッファに保持し、図１８で説明したようにこれらの出力をＮ個分ずつ足し合わせて（多重化して）一つのストリームにする。その後、周波数多重化器３８１，…，３８Ｒからの出力は空間スイッチ５１へ入力される。空間スイッチ５１は図３９、図４０を参照して説明したように入力されたストリームをそれぞれのサブキャリアへ割り当て接続する。
【００５１】
それぞれのサブキャリアに割り当てられたストリームは逆フーリエ変換器５５に入力され、ＯＦＤＭ変調される。逆フーリエ変換器５５からの出力に、ＧＩ（ガードインターバル）付加器５６によりガードインターバルを付加し、周波数変換器５９により無線周波数に変換した後、サーキュレータ７４を通じてアンテナ１７から端末局Ｕへ伝送される。
端末局Ｕでは、アンテナ２２より受信した信号をサーキュレータ８４を通じ、周波数変換器６９で周波数変換し、ＧＩ除去器６６によりガードインターバルを除去した後にフーリエ変換器６５に入力して復調する。復調後のストリームはＱ＝６４（＝４×１２）本のサブキャリアに出力され、空間スイッチ６１へ入力される。空間スイッチ６１は、入力されたストリームを連結パタンに応じてそれぞれのブランチへ割り当てる。図３９、図４０に示したように、基地局７１の周波数領域多重化器３７１，…，３７Ｒの全出力端子の配列順になるようにする。
【００５２】
ブランチに割り当てられたストリームは周波数領域逆拡散器４７１，…，４７Ｒに入力される。周波数領域逆拡散器４７１，…，４７Ｒでは、フェージング通信路による位相回転を補正した後、図１６で説明したように拡散符号を１ビットずつ、各ブランチに割り当てられた信号に乗算し、それぞれのブランチの信号を合成する。合成後の４本のブランチからのストリームをデマッピング回路２４１，…，２４Ｒでデマッピングした後、並直列変換器２５で並直列変換し、その１体となったストリームデータをビタビ復号器・デインターリーバ８１でデインターリービングを行い、ビタビ復号器によって復号してデータ受信を出力端子２６に出力する。
【００５３】
実施例のシステムと、空間スイッチを用いないシステムのパケット誤り率特性を図４１に示す。システムパラメータは図４３に示したものと同様である。空間スイッチを使わないシステムでは、コード多重数によらずにスイッチ連結パタンは一定である（図４９）。通信路は１８波指数減衰型レイリーフェージングチャネルを想定しており、コード多重数が最大（コード多重数＝４）および最小（コード多重数＝１）の場合の特性を示す。コード多重数が４の場合は連結パタンが同じなので特性が一致する。コード多重数が１の場合は空間スイッチを用いたシステムの方が良好な特性を示す。
【００５４】
【発明の効果】
この発明によれば、コード多重数を通信路の状態に応じて適応的に可変にすることによって伝送速度を可変にすることができることから、受信ＣＮＲが低い場合でも伝送速度を下げることによってユーザは通信サービスを受けることができ、一基地局当たりの収容ユーザ数を増やすことができる。
また、周波数領域で符号分割多重を行う場合においては、コード多重数に応じて、１シンボルの拡散信号を割り当てるサブキャリアを適応的に可変にすることによって、通信品質の改善を行うことができる。
さらに、スペクトル拡散技術を行っていることから、干渉に強いシステムを実現することができる。
【図面の簡単な説明】
【図１】ＯＦＤＭ方式の送受信機構成を示す図。
【図２】この発明方法の一例の処理手順の例を示すフローチャート。
【図３】この発明のシステム構成例を示す図。
【図４】実施形態２の送信機の機能構成例を示す図。
【図５】実施形態２の受信機の機能構成例を示す図。
【図６】Ａは図４中の時間領域拡散器３７の具体例を示す図、Ｂは図５中の時間領域逆拡散器の具体例を示す図である。
【図７】実施形態３のデータ受信機の機能構成例を示す図。
【図８】実施形態３における時間領域逆拡散器の具体例を示す図。
【図９】実施形態４のデータ送信機の機能構成例を示す図。
【図１０】実施形態４における時間領域拡散器の具体例を示す図。
【図１１】実施形態６のデータ送信機の機能構成例を示す図。
【図１２】実施形態６における時間領域拡散器の具体例を示す図。
【図１３】実施形態６のデータ受信機の機能構成例を示す図。
【図１４】実施形態６における時間領域逆拡散器の具体例を示す図。
【図１５】実施形態７のデータ受信機の機能構成例を示す図。
【図１６】実施形態７における周波数領域逆拡散器の具体例を示す図。
【図１７】実施形態８のデータ送信機の機能構成例を示す図。
【図１８】実施形態８における周波数領域拡散器の具体例を示す図。
【図１９】実施形態１０における周波数領域拡散器の具体例を示す図。
【図２０】実施形態１０における周波数領域逆拡散器の具体例を示す図。
【図２１】実施形態１１におけるフローチャート。
【図２２】通信路の周波数特性例を示す図。
【図２３】周波数領域拡散を行う方式と時間領域拡散を行う方式の特性比較例を示す図。
【図２４】周波数領域拡散を行う方式の送信機の機能構成例を示す図。
【図２５】周波数領域逆拡散を行う方式の受信機の機能構成例を示す図。
【図２６】コード間干渉のメカニズムを説明するための図。
【図２７】周波数領域拡散を行う方式におけるコード多重数に対する特性比較例を示す図。
【図２８】コード多重数が大きい場合のサブキャリア群構成例を示す図。
【図２９】コード多重数が小さい場合のサブキャリア群構成例を示す図。
【図３０】実施形態１２のデータ送信機の機能構成例を示す図。
【図３１】実施形態１２のデータ受信機の機能構成例を示す図。
【図３２】実施形態１４のフローチャート。
【図３３】実施形態１５のデータ送信機の構成例を示す図。
【図３４】実施形態１５のデータ受信機の構成例を示す図。
【図３５】発明の実施の形態におけるシステム構成例を示す図。
【図３６】発明の実施の形態における基地局構成例を示す図。
【図３７】発明の実施の形態における端末局構成例を示す図。
【図３８】発明の実施の形態におけるフレームフォーマットの例を示す図。
【図３９】コード多重数が大きい時の連結パタン例を示す図。
【図４０】コード多重数が小さい時の連結パタン例を示す図。
【図４１】実施例および空間スイッチを用いないシステムの特性比較例を示す図。
【図４２】システムパラメータの例を示す図。
【図４３】システムパラメータの他の例を示す図。
【図４４】サブキャリア群の構成例を示す図。
【図４５】コード多重数と対応したスイッチ連結パタンの例を示す図。
【図４６】ＣＮＲと対応するコード多重数の例を示す図。
【図４７】拡散符号番号と拡散符号系列の例を示す図。
【図４８】コード多重数と対応する拡散符号番号の例を示す図。
【図４９】空間スイッチを使わない場合のコード多重数と連結パタンの例を示す図。
【図１】
2004080340.tif 000003
【図２】
2004080340.tif 000004
【図３】
2004080340.tif 000005
【図４】
2004080340.tif 000006
【図５】
2004080340.tif 000007
【図６】
2004080340.tif 000008
【図７】
2004080340.tif 000009
【図８】
2004080340.tif 000010
【図９】
2004080340.tif 000011
【図１０】
2004080340.tif 000012
【図１１】
2004080340.tif 000013
【図１２】
2004080340.tif 000014
【図１３】
2004080340.tif 000015
【図１４】
2004080340.tif 000016
【図１５】
2004080340.tif 000017
【図１６】
2004080340.tif 000018
【図１７】
2004080340.tif 000019
【図１８】
2004080340.tif 000020
【図１９】
2004080340.tif 000021
【図２０】
2004080340.tif 000022
【図２１】
2004080340.tif 000023
【図２２】
2004080340.tif 000024
【図２３】
2004080340.tif 000025
【図２４】
2004080340.tif 000026
【図２５】
2004080340.tif 000027
【図２６】
2004080340.tif 000028
【図２７】
2004080340.tif 000029
【図２８】
2004080340.tif 000030
【図２９】
2004080340.tif 000031
【図３０】
2004080340.tif 000032
【図３１】
2004080340.tif 000033
【図３２】
2004080340.tif 000034
【図３３】
2004080340.tif 000035
【図３４】
2004080340.tif 000036
【図３５】
2004080340.tif 000037
【図３６】
2004080340.tif 000038
【図３７】
2004080340.tif 000039
【図３８】
2004080340.tif 000040
【図３９】
2004080340.tif 000041
【図４０】
2004080340.tif 000042
【図４１】
2004080340.tif 000043
【図４２】
2004080340.tif 000044
【図４３】
2004080340.tif 000045
【図４４】
2004080340.tif 000046
【図４５】
2004080340.tif 000047
【図４６】
2004080340.tif 000048
【図４７】
2004080340.tif 000049
【図４８】
2004080340.tif 000050
【図４９】
2004080340.tif 000051